(57)【要約】【課題】撮影中にレンズを交換した後ですぐに撮影を再開することができるカメラシステムを提供することを目的とする。【解決手段】撮影光学系を備えた光学ユニットと、光学ユニットが着脱自在に装着されるカメラ本体とを備えたカメラシステムであって、カメラ本体が、光学ユニットの着脱を検出する検出部と、画像データの入手処理を行う撮影モードを含む複数のモードを有するデータ処理部と、モードを操作に応じたモードに設定するモード設定部と、撮影モードが設定されている状態で光学ユニットの離脱を検出した場合に、モードを撮影モード以外のモードに切り換えて待機状態となり、待機状態中に検出部が光学ユニットの装着を検知した場合には、モードを撮影モードに切り換えるモード切換部とを備えた。【選択図】        図６
2006319646.tif 000002
【特許請求の範囲】
【請求項１】
被写体が通過する撮影光学系を備えた光学ユニットと、前記光学ユニットが着脱自在に装着されるカメラ本体とを備えたカメラシステムであって、
前記カメラ本体が、
前記光学ユニットの着脱を検出する検出部と、
前記光学ユニットの撮影光学系を通って結像する被写体光を表す画像データに対する所定の処理を行う、該画像データの入手処理を行う撮影モードを含む複数のモードを有するデータ処理部と、
前記データ処理部のモードを操作に応じたモードに設定するモード設定部と、
前記モード設定部によって前記撮影モードが設定されている状態で前記検出部が前記光学ユニットの離脱を検出した場合に、前記データ処理部のモードを該撮影モード以外のモードに切り換えて待機状態となり、該待機状態中に前記検出部が前記光学ユニットの装着を検知した場合には、前記データ処理部のモードを前記撮影モードに切り換えるモード切換部とを備えたものであることを特徴とするカメラシステム。
【請求項２】
前記カメラ本体は、前記光学ユニットが未装着の状態で前記モード設定部が前記撮影モードの設定操作を受けた場合に、該光学ユニットが未装着であることをカメラシステム外に通知する通知部を備えたものであることを特徴とする請求項１記載のカメラシステム。
【請求項３】
前記モード切換部が、前記待機状態中は、前記モード設定部に対し、前記撮影モードの設定を禁止するものであることを特徴とする請求項１記載のカメラシステム。
【発明の詳細な説明】
【技術分野】
【０００１】
本発明は、被写体光を結像する撮影光学系が搭載された光学ユニットと、光学ユニットが着脱自在に装着され、画像データに所定の画像処理を施すカメラ本体とを備えたカメラシステムに関する。
【背景技術】
【０００２】
従来、撮影レンズが内蔵された交換式のレンズユニットを、撮像素子が内蔵されたカメラ本体に装着して用いるレンズ交換式カメラが知られている。このレンズ交換式カメラは、撮影レンズによって結像された被写体光が、カメラ本体側に備えられた撮像素子で受光されて撮影画像データが生成されるため、従来、銀塩フィルムに撮影画像を記録するフィルム式の一眼レフカメラで使用されていた交換式の撮影レンズを再利用することができるという利点がある。
【０００３】
しかし、例えば、低解像度で小型な撮像素子が内蔵されたカメラ本体に、高価で光学性能が優れた大型の撮影レンズを装着すると、撮影レンズによって被写体光が精度良く結像されるが、撮像素子ではその被写体光を高精度に読み取ることができず、撮影レンズの性能を活かし切れないという問題がある。この問題を解決するものとして、撮影レンズと撮像素子とが内蔵された撮像素子付きのレンズユニットをカメラ本体に装着するレンズ交換式カメラが開発されている（例えば、特許文献１、特許文献２、および特許文献３参照）。これら特許文献１、特許文献２、および特許文献３に記載されたレンズ交換式カメラによると、撮影レンズの大きさや光学性能に適したＣＣＤを予めレンズユニット内に備えておくことによって、撮影レンズの性能を活かして高画質な撮影画像を取得することができる。
【０００４】
ところで、撮影者がレンズユニットをカメラ本体に装着せずにシャッタボタンを押してしまうと、被写体が判別できないほどにボケた撮影画像が取得されてしまったり、特許文献１、特許文献２、および特許文献３に記載されたような、ＣＣＤがレンズユニット側に内蔵されたレンズ交換式カメラが用いられる場合には、そもそも撮影画像を取得することができないなどという不具合が生じる。この点に関し、特許文献４には、レンズユニットがカメラ本体から脱離されたときには、レンズ交換式カメラで実行される処理を表わす処理モードを、撮影を行う撮影モード以外の処理モードに切り換えるレンズ交換式カメラについて記載されている。例えば、レンズユニットが離脱されたときには、処理モードを既に撮影された撮影画像を再生する再生モードなどに強制的に移行させることによって、撮影者が、レンズユニットが装着されていないことに気づかずにシャッタボタンを押してしまって、無駄な撮影画像を取得してしまったり、シャッタチャンスを逃してしまう不具合を回避することができる。
【特許文献１】特開平１０−１９１１２２号公報
【特許文献２】特開２０００−５０１３８号公報
【特許文献３】特開２０００−１０６６４０号公報
【特許文献４】特開２０００−１５２０７０号公報
【発明の開示】
【発明が解決しようとする課題】
【０００５】
ここで、撮影者が被写体を撮影している作業中にレンズ本体からレンズユニットを取り外す場面としては、ズーム倍率等を変更するためにレンズユニットを交換して、撮影を継続する場面が想定される。このような場合には、レンズユニットを交換した後で、すぐに撮影を再開できることが好ましい。しかし、上述した特許文献４に記載された方法によると、レンズユニットが取り外されたときに処理モードが再生モードなどに移行されているため、撮影者がレンズユニットを交換した後で手動で処理モードを撮影モードに設定しなおす必要があり、手間と時間が掛かってしまうという問題がある。
【０００６】
本発明は、上記事情に鑑み、撮影中にレンズを交換した後ですぐに撮影を再開することができるカメラシステムを提供することを目的とする。
【課題を解決するための手段】
【０００７】
上記目的を達成する本発明のカメラシステムは、被写体が通過する撮影光学系を備えた光学ユニットと、光学ユニットが着脱自在に装着されるカメラ本体とを備えたカメラシステムであって、
カメラ本体が、
光学ユニットの着脱を検出する検出部と、
光学ユニットの撮影光学系を通って結像する被写体光を表す画像データに対する所定の処理を行う、画像データの入手処理を行う撮影モードを含む複数のモードを有するデータ処理部と、
データ処理部のモードを操作に応じたモードに設定するモード設定部と、
モード設定部によって撮影モードが設定されている状態で検出部が光学ユニットの離脱を検出した場合に、データ処理部のモードを撮影モード以外のモードに切り換えて待機状態となり、待機状態中に検出部が光学ユニットの装着を検知した場合には、データ処理部のモードを撮影モードに切り換えるモード切換部とを備えたものであることを特徴とする。
【０００８】
本発明のカメラシステムによると、撮影モードが設定されている状態で光学ユニットが脱離されると、撮影モード以外のモードに切り換えられて待機状態に移行される。待機状態中に光学ユニットが装着されると、モードが自動的に撮影モードに移行されるため、撮影者は手動でモードを切り換える必要がなく、すぐに撮影を行うことができる。
【０００９】
また、本発明のカメラシステムにおいて、上記カメラ本体は、光学ユニットが未装着の状態でモード設定部が撮影モードの設定操作を受けた場合に、光学ユニットが未装着であることをカメラシステム外に通知する通知部を備えたものであることが好ましい。
【００１０】
光学ユニットが装着されていない状態で撮影しようとすると、撮影画像にボケが生じてしまったり、撮影画像自体を取得することができず、シャッタチャンスを逃してしまうという問題が生じる。光学ユニットが未装着であることが通知されることによって、このような問題を未然に防止することができる。
【００１１】
また、本発明のカメラシステムにおいて、上記モード切換部が、待機状態中は、モード設定部に対し、撮影モードの設定を禁止するものであることが好適である。
【００１２】
本発明における好適な形態のカメラシステムによると、光学ユニットが装着された後ですぐに撮影を行うことができるとともに、光学ユニットが装着されていない状態で撮影が行われてしまう不具合を防止することができる。
【発明の効果】
【００１３】
本発明のカメラシステムによると、撮影中にレンズを交換した後ですぐに撮影を再開することができる。
【発明を実施するための最良の形態】
【００１４】
以下、本発明の実施形態について説明する。
【００１５】
図１は、本発明の一実施形態が適用されたカメラシステムの分解図である。
【００１６】
図１に示すカメラシステム１には、撮影レンズやＣＣＤが内蔵された複数種類のカメラヘッド１＿ａ，２＿ａ，…，ｎ＿ａが用意されており、それら複数種類のカメラヘッドのうちいずれかの種類のカメラヘッドが選択されて使用される。以下の説明においては、複数種類のカメラヘッド１＿ａ，２＿ａ，…，ｎ＿ａのうち１番目のカメラヘッド１＿ａが選択されたものとして説明を行う。
【００１７】
カメラシステム１は、カメラヘッド１＿ａと、カメラヘッド１＿ａが着脱自在に装着されるカメラ本体１＿ｂとで構成されている。カメラヘッド１＿ａ，２＿ａ，…，ｎ＿ａは、本発明にいう光学ユニットの一例にそれぞれ相当し、カメラ本体１＿ｂは、本発明にいうカメラ本体の一例に相当する。
【００１８】
カメラ本体１＿ｂの前面側にはマウント１０ｂが設けられており、このマウント１０ｂに、カメラヘッドに設けられたマウントコネクタ１０ａが着脱自在に嵌合する。
【００１９】
また、カメラ本体１＿ｂの上面には、静止画を撮影するためのレリーズボタン２１ｂと、処理モード（後述する）を設定するためのモード設定ダイヤル２２ｂとが設けられている。
【００２０】
図２は、図１に示すカメラ本体１＿ｂの上面図である。
【００２１】
本実施形態では、モード設定ダイヤル２２ｂを使って、処理モードを、撮影画像を表示する再生モード（Ｐｌａｙ）、静止画を撮影する静止画モード（Ｃａｍ）、動画を撮影する動画モード（Ｍｏｖ）、パーソナルコンピュータなどといった外部装置と接続するための接続モード（Ｐｃ）、カメラ本体１＿ｂに内蔵された時計の時刻などを合わせるセットアップモード（Ｓｅｔ  ｕｐ）のいずれかに設定することができる。
【００２２】
ここで、撮影を行う際などには、撮影者がモード設定ダイヤル２２ｂによってどの処理モードが選択されているかを確認せずに、カメラヘッド１＿ａを交換するなどといった作業を行うことが想定される。本実施形態においては、状況に応じた好ましい処理を実行するために、モード設定ダイヤル２２ｂで処理モードが選択されているときでも、カメラシステム１の内部では、その選択されている処理モードとは異なる処理モードに自動的に切り換えられることがある。以下では、モード設定ダイヤル２２ｂによって選択されている処理モードを選択モードと称する。
【００２３】
図３は、図１に示すカメラ本体１＿ｂの背面図である。
【００２４】
カメラ本体１＿ｂの背面には、カメラシステム１の電源を入れるための電源スイッチ２３ｂ、画像やメニュー画面などが表示されるＬＣＤ（Ｌｉｑｕｉｄ  Ｃｒｙｓｔａｌ  Ｄｉｓｐｌａｙ）２８ｂ、ＬＣＤ２８ｂに表示されたメニュー画面中の項目等を選択するための十字キー２４ｂ、ＬＣＤ２８ｂにメニュー画面を表示するためのメニューボタン２５ｂ、設定内容を決定するための実行ボタン２６ｂ、設定内容を中止するための取消ボタン２７ｂが設けられており、カメラ本体１＿ｂの側面には、パーソナルコンピュータなどといった外部装置と接続するためのＵＳＢコネクタ２９ｂが設けられている。このＬＣＤ２８ｂは、本発明にいう通知部の一例に相当する。
【００２５】
図４は、図１に示すカメラシステム１の内部構成図である。
【００２６】
まずは、カメラヘッド１＿ａについて説明する。
【００２７】
カメラヘッド１＿ａには、フォーカスレンズやズームレンズなどといった各種レンズや、それら各種レンズを駆動するためのモータなどが配備された撮影光学系１１ａ、撮影光学系１１ａ中のモータを制御して、フォーカスレンズやズームレンズのレンズ位置や、絞り量などを制御する絞り／フォーカスズーム制御部１７ａ、撮影光学系１１ａを通って結像された被写体光を受光して、被写体光を表わす被写体信号を生成するＣＣＤ１２ａ、被写体信号の増幅やゲイン調整などを行うアナログ信号処理部１３ａ、アナログ信号である被写体信号をデジタルの画像データに変換するＡ／Ｄ部１４ａ、ＣＣＤ１２ａ，アナログ信号処理部１３ａ，Ａ／Ｄ部１４ａに向けてタイミング信号を発するＴＧ（タイミングジェネレータ）１８ａ、カメラヘッド１＿ａの各種要素を制御するとともに、フォーカスレンズやズームレンズのレンズ位置を算出するヘッドＣＰＵ１９ａ、ヘッドＣＰＵ１９ａでの算出処理時などに一時的なメモリとして使用されるシステムメモリ１９０ａ、ＣＣＤ１２ａの画素数やレンズの絞り値などで構成されるレンズパラメータが記録された不揮発性メモリ１９１ａが備えられている。撮影光学系１１ａは、本発明にいう撮影光学系の一例に相当する。
【００２８】
また、カメラヘッド１＿ａには、カメラ本体１＿ｂにも同様に設けられた３線シリアルドライバ１５１ａと高速シリアルドライバ１５０ａとが備えられている。３線シリアルドライバ１５１ａは、レンズパラメータや、カメラ本体１＿ｂへの要求などをカメラ本体１＿ｂとの間で送受信するためのものであり、高速シリアルドライバ１５０ａは、カメラ本体１＿ｂとの間で被写体光が読み取られた撮影画像データなどを送受信するためのものである。
【００２９】
カメラヘッド１＿ａでは、ＣＣＤ１２ａで被写体光が受光されることによって、撮影画角内に現時点で存在する被写体像を捉えた、カメラ本体１＿ｂのＬＣＤ２８ｂに表示されるスルー画像用のスルー画像データ、レリーズボタン１３ｂが押下されたときの静止画像を表わす静止画像データ、および動画を表わす動画像データの３種類の画像データが生成される。スルー画像データは、解像度が低い一時的なデータであり、高速シリアルドライバ１５０ａによってカメラ本体１＿ｂに送られるとともに、積算回路１６ａにも送られる。
【００３０】
カメラヘッド１＿ａには、上述した各種要素のほかにも、低解像度な画像データに基づいて、被写体の輝度（ＡＥ検出）やコントラスト（ＡＦ検出）を検出する積算回路１６ａ、カメラヘッド１＿ａの各種要素に供給される電力を制御する電源制御部１４０ａ、電力を調整するＤＣ／ＤＣコンバータ１０１ａなども備えられている。
【００３１】
カメラヘッド１＿ａのマウントコネクタ１０ａは、カメラ本体１＿ｂのマウント１０ｂに着脱自在に嵌合する。これらカメラヘッド１＿ａとカメラ本体１＿ｂとの間では、マウントコネクタ１０ａとマウント１０ｂに設けられた電気的接点を介して通信が行われる。また、マウントコネクタ１０ａおよびマウント１０ｂには、カメラヘッド１＿ａの着脱を検出するための検出用接点が設けられており、カメラヘッド１＿ａがカメラ本体１＿ｂに着脱された検出結果は、カメラ本体１＿ｂのＩ／Ｏ１４１ｂを介して本体ＣＰＵ１００ｂに伝えられる。カメラ本体１＿ｂのマウント１０ｂは、本発明にいう検出部の一例に相当する。
【００３２】
続いて、カメラ本体１＿ｂについて説明する。
【００３３】
カメラ本体１＿ｂの動作は、本体ＣＰＵ１００ｂにより統括的に制御される。本体ＣＰＵ１００ｂは、基本的には、図２に示すモード設定ダイヤル２２ｂを使って選択された処選択モードに応じてカメラヘッド１＿ａ、およびカメラ本体１＿ｂの各種要素に動作指示を与えるが、カメラヘッド１＿ａが取り外されたときなどには、設定されている処理モードを所定の処理モードに切り換えて、切換後の処理モードに応じた動作指示を与える。この処理モードの切り換えについては、後で詳しく説明する。本体ＣＰＵ１００ｂは、本発明にいうデータ処理部、およびモード切換部それぞれの一例にあたり、モード設定ダイヤル２２ｂと本体ＣＰＵ１００ｂとを合わせたものは、本発明にいうモード設定部の一例に相当する。
【００３４】
カメラ本体１＿ｂには、プログラムが格納されたシステムメモリ１０１ｂ、カメラヘッド１＿ａとの間で各種要求や情報を送受信するための３線シリアルドライバ１５１ｂ、カメラヘッド１＿ａから送信された画像データを受信するための高速シリアルドライバ１５０ｂ、３線シリアルドライバ１５１ｂで受信された各種パラメータなどを記録する不揮発メモリ１０２ｂ、タイマ撮影用のタイマ１１０ｂ、ＬＣＤ２８ｂに表示されるカレンダ時計を制御するためのカレンダ時計部１１１ｂ、ＵＳＢコネクタ２９ｂを介してパーソナルコンピュータなどが接続されるＵＳＢドライバ１３１ｂ、図３に示すモード設定ダイヤル２２ｂ、十字キー２４ｂ、メニューボタン２５ｂ、実行ボタン２６ｂ、および取消ボタン２７ｂなどが含まれ、Ｉ／Ｏ１３３ｂを介して本体ＣＰＵ１００ｂに制御されて動作するスイッチ／ＬＥＤ１３２ｂ、閃光を発する閃光発光部１２１ｂ、閃光発光部１２１ｂでの発光量を制御する閃光発光制御部１２０ｂ、このカメラシステム１の電源を投入する電源ＳＷ２３ｂ、このカメラシステム１に電力を供給するバッテリ１４２ｂ、バッテリ１４２からカメラ本体１＿ｂの各要素に供給される電力を制御する電源制御部１４０ｂ、電力を調整するＤＣ／ＤＣコンバータ１４３ｂ、高速シリアルドライバ１５０ｂで受信された画像データに圧縮処理などといった各種処理を施すデジタル信号処理部１０９ｂ、デジタル信号処理部１０９ｂを制御するデジタル信号処理制御部１０３ｂ、高速シリアルドライバ１５０ｂで受信されたスルー画像データが一旦記録されるフレームメモリ１０４ｂ、ＬＣＤ２８ｂでの表示を制御するＬＣＤ制御部１０５ｂ、各種メニュー画面や、スルー画像データに基づいたスルー画像などが表示されるＬＣＤ２８ｂ、カメラヘッド１＿ａとの間における画面情報の送受信を制御するＵ／Ｉ情報制御部１６０ｂ、本撮影時に生成された画像データがデジタル信号処理部１０９ｂで圧縮され、圧縮画像データがカードＩ／Ｆ１０６ｂを介して記録されるメモリカード１０８ｂが装填されるメモリカードスロット１０７ｂなどが備えられている。
【００３５】
本実施形態のカメラシステム１は、基本的には以上のように構成されている。
【００３６】
ここで、本実施形態のカメラシステム１においては、撮影者が図２に示すモード設定ダイヤル２２ｂを回すことによって、選択モード（モード設定ダイヤル２２ｂによって選択された処理モード）を、再生モード（Ｐｌａｙ）、静止画モード（Ｃａｍ）、動画モード（Ｍｏｖ）、接続モード（Ｐｃ）、およびセットアップモード（Ｓｅｔ  ｕｐ）の順に巡回的に変更することができる。基本的には、モード設定ダイヤル２２ｂによって選択されている選択モードが実際の処理モードとして設定されるが、カメラ本体１＿ｂにカメラヘッド１＿ａが装着されていないときなどには、自動的に所定の処理モードに切り換えられる。以下では、カメラヘッド１＿ａの着脱と、処理モードとの関係について説明する。
【００３７】
図５は、カメラ本体が起動されてから処理モードが設定されるまでの処理の流れを示すフローチャート図である。
【００３８】
まず、撮影者がカメラ本体１＿ｂの電源ＳＷ２３ｂをＯＮに切り換えると、電源制御部１４０ｂによって、バッテリ１４２ｂに蓄えられた電力がカメラ本体１＿ｂの各種要素に供給されて、カメラ本体１＿ｂが起動される（図５のステップＳ１０１）。
【００３９】
カメラ本体１＿ｂが起動されると、まず、本体ＣＰＵ１００ｂによって、モード設定ダイヤル２２ｂによって選択されている選択モードが取得される。
【００４０】
選択モードが再生モードの場合には（図５のステップＳ１０２：Ｙｅｓ）、そのまま再生モードが処理モードとして設定される（図５のステップＳ１０３）。この再生モードでは、メモリカード１０８ｂに記憶された撮影画像の一覧画面がＬＣＤ１０５０ｂに表示され、撮影者によって一覧画面の中から撮影画像が選択されると、選択された撮影画像がＬＣＤ１０５０ｂに表示される。
【００４１】
また、選択モードがセットアップモードの場合にも（図５のステップＳ１０４：Ｙｅｓ）、そのままセットアップモードが処理モードとして設定される（図５のステップＳ１０５）。このセットアップモードでは、不揮発性メモリ１０２ｂに予め記憶されたセットアップ用画面がＬＣＤ１０５０ｂに表示される。撮影者がセットアップ用画面に従って入力することによって、カレンダ時計１１１ｂの時刻などが設定される。
【００４２】
また、選択モードが接続モードの場合も（図５のステップＳ１０６：Ｙｅｓ）、そのまま接続モードが処理モードとして設定される（図５のステップＳ１０７）。接続モードが設定されると、ＵＳＢドライバ１３１ｂのコネクタ２９ｂを介して、外部装置との間でデータの送受信が行われる。
【００４３】
また、選択モードが、上述した再生モード、セットアップモード、接続モード以外の静止画モードあるいは動画モード（以下では、静止画モードおよび動画モードを合わせて撮影モードと称する）の場合には、カメラヘッド１＿ａの着脱状態が判定される。カメラヘッド１＿ａが装着されているときには（図５のステップＳ１０８：Ｙｅｓ）、処理モードとしてモード設定ダイヤル２２ｂによって選択されている静止画モードあるいは動画モードが設定される（図５のステップＳ１０９）。これらの撮影モードでは、カメラヘッド１＿ａのＣＣＤ１２ａで被写体光が読み取られて、画像データが生成される。
【００４４】
また、選択モードが撮影モードであり、カメラヘッド１＿ａが装着されていないときには（図５のステップＳ１０８：Ｎｏ）、処理モードとして再生モードが設定される（図５のステップＳ１１０）。このステップＳ１１０の状態では、モード設定ダイヤル２２ｂで選択されている選択モードと、カメラシステム１の内部で設定されている処理モードとが異なる。カメラヘッド１＿ａが装着されていないときには、撮影モード以外の処理モードを設定することによって、撮影者が撮影できているつもりでレリーズボタンを押してしまい、シャッタチャンスを逃してしまう不具合などを軽減することができる。
【００４５】
カメラ本体１＿ｂが起動されて処理モードが設定された後に、カメラヘッド１＿ａが装着されたときには（例えば、図５のステップＳ１０３、Ｓ１０５，Ｓ１０７，Ｓ１１０の後にカメラヘッド１＿ａが装着された場合）、設定されていた処理モードがそのまま維持される。
【００４６】
ここで、例えば、撮影中にズーム倍率等を変更したいときなどには、撮影者は、カメラヘッド１＿ａをカメラ本体１＿ｂから取り外して、その代わりに所望の機能を有する、カメラヘッド１＿ａ以外のカメラヘッドを装着する。このような場合、カメラヘッド１＿ａを交換した後で継続して撮影が行われることが多く、カメラヘッド１＿ａが交換された後ですぐに撮影できることが好ましい。本実施形態では、処理モードとして撮影モードが設定されているときにカメラヘッド１＿ａが離脱されると、新たなカメラヘッドが装着された後で撮影モードに移行する待機状態（装着待ち状態）に遷移される。
【００４７】
図６は、撮影モードが設定されている状態でカメラヘッド１＿ａが着脱されたときの処理の流れを示すフローチャート図である。
【００４８】
撮影モードが設定されている状態で、撮影者がモード設定ダイヤル２２ｂを回して撮影モード以外のモードを選択すると（図６のステップＳ２０１）、処理モードが、選択された選択モードに変更される（図６のステップＳ２０３）。
【００４９】
図７は、処理モードの状態遷移図である。以下、この図７を、図６のフローチャートとともに参照しながら説明を続ける。
【００５０】
破線で囲んだ処理モードは、遷移開始時における処理モードを表わしている。この例では、図２に示すモード設定ダイヤル２２ｂは、時計回り（再生モード、静止画モード、動画モード、接続モード、およびセットアップモードの順に設定可能な方向）にのみ回転されるとして説明する。図７のパート（ａ）に示すように、処理モードとして静止画モードあるいは動画モードが設定されている状態では、モード設定ダイヤル２２ｂを回すことによって、接続モード、セットアップモード、および再生モードのいずれにも変更することができる。
【００５１】
また、撮影モードが設定されたまま（図６のステップＳ２０１：Ｎｏ）、カメラヘッド１＿ａがカメラ本体１＿ｂから取り外されると（図６のステップＳ２０２：Ｙｅｓ）、ＬＣＤ１０５０ｂに「カメラヘッド未装着」というメッセージが表示される（図６のステップＳ２０４）。このように、カメラヘッド１＿ａが撮影モード中に離脱されたことが通知されることによって、カメラヘッド１＿ａが未装着なままでレリーズボタンを押してしまう不具合を回避することができる。
【００５２】
また、カメラ本体１＿ｂの内部では、処理モードが装着待ちの再生モードに移行される（図６のステップＳ２０５）。この装着待ちの再生モードは、通常の再生モードと同様な処理が行われるが、カメラ本体１＿ｂに新たなカメラヘッドが装着されたときには、処理モードが、移行前に設定されていた処理モードに移行される。このように、カメラヘッド１＿ａが取り外されたときには、撮影モード以外の処理モードに強制的に切り換えられることによって、この状態で撮影を行ってしまう不具合をさらに確実に防止することができる。
【００５３】
ステップＳ２０５では、モード設定ダイヤル２２ｂでは撮影モードが選択されているが、処理モードとしては装着待ちの再生モードが設定されている。装着待ちの再生モードが設定されているときに、撮影者がモード設定ダイヤル２２ｂを回して撮影モード以外のモードを選択すると（図６のステップＳ２０６：Ｙｅｓ）、処理モードは、選択された選択モードに変更される（図６のステップＳ２０７）。
【００５４】
また、モード設定ダイヤル２２ｂで撮影モードが選択されたまま（図６のステップＳ２０６：Ｎｏ）、新たなカメラヘッドがカメラ本体１＿ｂに装着されると（図６のステップＳ２０８：Ｙｅｓ）、ＬＣＤ１０５０ｂに表示されていた「カメラヘッド未装着」というメッセージが解除される（図６のステップＳ２０９）。
【００５５】
また、処理モードが、装着待ちの再生モードから、ステップＳ２０５において処理モードが移行される前に設定されていた撮影モード（静止画モードあるいは動画モード）に変更される（図６のステップＳ２１０）。このとき、図７のパート（Ｃ）に示すように、処理モードは、カメラヘッド１＿ａが取り外される前に設定されていた撮影モードに強制的に復帰される。したがって、新たなカメラヘッドが装着された後ですぐに撮影を行うことができ、モード設定ダイヤル２２ｂを使って処理モードを選択しなおす手間と時間を省くことができる。
【００５６】
以上のように、本実施形態のカメラシステムによると、カメラヘッドを装着しないままでレリーズボタンを押してしまう不具合を回避することができるとともに、撮影中にカメラヘッドを交換した場合であっても、撮影を継続してスムーズに行うことができる。
【００５７】
ここで、上記では、光学ユニットとして、撮像素子と撮像光学系とがいっしょに内蔵されたカメラヘッドを用いる例について説明したが、本発明にいう光学ユニットは、撮像素子が含まれないものであってもよい。この場合、撮像素子は、カメラ本体に備えられていてもよく、カメラ本体と光学ユニットとを接続するアダプタに備えられていてもよい。
【００５８】
また、上記では、本発明にいう通知部の一例として、光学ユニットが未装着であることを表示するＬＣＤが示されているが、本発明にいう通知部は、音声等で光学ユニットが未装着であることを通知するものであってもよい。
【００５９】
また、近年では、容器に収容された液体に電圧を印加し、その液面の形状等を変化させることによって光の屈折率を調節する液体レンズが開発されている。上記では、本発明にいう撮像光学系として通常のレンズを用いる例について説明したが、本発明にいう撮像光学系は、液体レンズなどであってもよい。この場合、「撮像光学系の駆動」とは、通常のレンズを光軸方向に移動させるのと等価な作用を行わせるように、液体に電圧を印加する作業などをいう。
【図面の簡単な説明】
【００６０】
【図１】本発明の一実施形態が適用されたカメラシステムの分解図である。
【図２】図１に示すカメラ本体１＿ｂの上面図である。
【図３】図１に示すカメラ本体１＿ｂの背面図である。
【図４】図１に示すカメラシステム１の内部構成図である。
【図５】カメラ本体が起動されてから処理モードが設定されるまでの処理の流れを示すフローチャート図である。
【図６】撮影モードが設定されている状態でカメラヘッド１＿ａが着脱されたときの処理の流れを示すフローチャート図である。
【図７】処理モードの状態遷移図である。
【符号の説明】
【００６１】
１    カメラシステム
１＿ａ，２＿ａ，…，ｎ＿ａ    カメラヘッド
１０ａ    マウントコネクタ
１１ａ    撮影光学系
１０１ａ    ＤＣ／ＤＣコンバータ
１２ａ    ＣＣＤ
１３ａ    アナログ信号処理部
１４ａ    Ａ／Ｄ部
１４０ａ    電源制御部
１５０ａ    高速シリアルドライバ
１５１ａ    ３線シリアルドライバ
１６ａ    積算回路
１７ａ    絞り／フォーカスズーム制御部
１８ａ    ＴＧ
１９ａ    ヘッドＣＰＵ
１９０ａ    システムメモリ
１９１ａ    不揮発性メモリ
１＿ｂ    カメラ本体
１０ｂ    マウント
２１ｂ    レリーズボタン
２２ｂ    モード設定ダイヤル
２４ｂ    十字キー
２５ｂ    メニューボタン
２６ｂ    実行ボタン
２７ｂ    取消ボタン
２８ｂ    ＬＣＤ
２９ｂ    ＵＳＢコネクタ
２３ｂ    電源ＳＷ
１０２ｂ    不揮発メモリ
１０３ｂ    デジタル信号処理制御部
１０４ｂ    フレームメモリ
１０５ｂ    ＬＣＤ制御部
１０６ｂ    カードＩ／Ｆ
１０７ｂ    メモリカードスロット
１０８ｂ    メモリカード
１０９ｂ    デジタル信号処理部
１１０ｂ    タイマ
１１１ｂ    カレンダ時計部
１２０ｂ    閃光発光制御部
１２１ｂ    閃光発光部
１３１ｂ    ＵＳＢドライバ
１３２ｂ    スイッチ／ＬＥＤ
１３３ｂ    Ｉ／Ｏ
１４０ｂ    電源制御部
１４１ｂ    Ｉ／Ｏ
１４２ｂ    バッテリ
１４３ｂ    ＤＣ／ＤＣコンバータ
１５０ｂ    高速シリアルドライバ
１５１ｂ    ３線シリアルドライバ
【図１】
2006319646.tif 000003
【図２】
2006319646.tif 000004
【図３】
2006319646.tif 000005
【図４】
2006319646.tif 000006
【図５】
2006319646.tif 000007
【図６】
2006319646.tif 000008
【図７】
2006319646.tif 000009